(57)【要約】      （修正有）【課題】迅速な引き戸の作動を確保することができる機械式自動開閉引き戸装置を提供する。【解決手段】踏み板の沈下量を所定量のストローク量として伝達する第１伝達機構と第２伝達機構の２つの伝達機構と、引き戸１の上部に配置され、前記第１伝達機構のワイヤＡ１１をチェーンＡ１５に連結し、さらに前記第２伝達機構のワイヤＢ１２をチェーンＢ１６に連結し、第２伝達機構のストローク量を所定移動量のチェーンＡの移動に変換する変換機構と、ガイドレール等の所定位置に一端側が締結され、チェーンＡに連動する連結金具２０に締結された滑車１４を介し、他端側が引き戸と締結された牽引ワイヤＣ２２の部品により構成する。【選択図】図１
0003151861.tif 000002
【実用新案登録請求の範囲】
【請求項１】
開閉方向へ摺動自在にして吊下支持され、かつ閉方向へ移動付勢力が付加された引き戸と、閉戸位置にある引き戸の前後位置の床面にそれぞれ配置され、体荷重により所定量の沈下を生じるように構成された踏み板と、該踏み板の沈下量を所定量のストローク量として伝達する第１伝達機構と第２伝達機構の２つの伝達機構と、引き戸の上部に配置され、前記第１伝達機構のワイヤAをチェーンAに連結し、さらに前記第２伝達機構のワイヤBをチェーンBに連結し、第２伝達機構のストローク量を所定移動量のチェーンAの移動に変換する変換機構と、ガイドレール等の所定位置に一端側が締結され、チェーンAに連動する連結金具に締結された滑車を介し、他端側が引き戸と締結された牽引ワイヤCの部品により構成されて成ることを特徴とする機械式自動開閉引き戸装置。
【請求項２】
変換機構において、引き戸の上部にチェーンBを形成し、該チェーンBに噛合するスプロケットAを回転させ、該スプロケットAに締結されたスプロケットBを回転させることにより、該スプロケットBは噛合うチェーンAを、該スプロケットAと該スプロケットBの歯数の比率に比例して、チェーンBの移動距離よりも大きく移動させることを特徴とする請求項１に記載の機械式自動開閉引き戸装置。
【考案の詳細な説明】
【技術分野】
【０００１】
本考案は、引き戸の作動が迅速な機械式自動開閉引き戸装置に関するものである。
【背景技術】
【０００２】
住居への出入りにバリアフリーとなる自動開閉引き戸装置は強く切望されていますが、電動式の自動開閉引き戸装置については、電動機の故障あるいは想定外の使われ方による傷害事故あるいは、停電による装置の停止により信頼性に欠けることから、一般の住宅などでは、電動式と同程度の引き戸の開放速度を持つ、機械式の自動開閉引き戸装置が望まれている。
【先行技術文献】
【特許文献】
【０００３】
【特許文献１】特開２０００−２２０３４３号公報
【０００４】
【特許文献２】特開平７−２０８０１６号公報
【考案の概要】
【考案が解決しようとする課題】
【０００５】
考案が解決しようとする問題点は、以上に述べた従来の機械式自動開閉引き戸装置では、引き戸の初期作動時に、引き戸を牽引する力が比較的に低いため、迅速な引き戸の作動を確保することが困難であるために、その使用感に不満がある点である。
【課題を解決するための手段】
【０００６】
そして、本実用新案は上記目的を達成するために、機械式自動開閉引き戸装置の引き戸を開放する伝達機構を２つ設置し、引き戸が全閉状態の時に極力大きな牽引力で引き戸を開放する伝達機構と引き戸を全閉状態から全開状態まで開放する伝達機構の２つを備えることとした。具体的には、開閉方向へ摺動自在にして吊下支持され、かつ閉方向へ移動付勢力が付加された引き戸と、閉戸位置にある引き戸の前後位置の床面にそれぞれ配置され、体荷重により所定量の沈下を生じるように構成された踏み板と、該踏み板の沈下量を所定量のストローク量として伝達する第１伝達機構と第２伝達機構の２つの伝達機構と、引き戸の上部に配置され、前記第１伝達機構のワイヤAをチェーンAに連結し、さらに前記第２伝達機構のワイヤBをチェーンBに連結し、第２伝達機構のストローク量を所定移動量のチェーンAの移動に変換する変換機構と、ガイドレール等の所定位置に一端側が締結され、チェーンAに連結金具により取り付けられた滑車を介し、他端側が引き戸と締結された牽引ワイヤCの部品により構成されて成ることを特徴とする。
【０００７】
上記の変換機構は、引き戸の上部にチェーンBを形成し、該チェーンBに噛合するスプロケットAを回転させ、該スプロケットAに締結されたスプロケットBを回転させることにより、該スプロケットBは噛合うチェーンAを、該スプロケットAと該スプロケットBの歯数の比率に比例して、チェーンBの移動距離よりも大きく移動させることを特徴とする。
【考案の効果】
【０００８】
上述のように本実用新案の機械式自動開閉引き戸装置は、引き戸の全閉状態から全開状態迄の時間を短縮することとなり、機械式自動開閉引き戸の便利性を向上することが可能となる。
【図面の簡単な説明】
【０００９】
【図１】図１は機械式自動開閉引き戸装置の外観斜視図である。
【考案を実施するための形態】
【００１０】
引き戸とガイドと引き戸ローラーと引き戸ローラー留め金具と踏み板と４節リンクと錘とアームと支点金具とワイヤ留め金具とワイヤAとワイヤBとワイヤローラー留め金具とワイヤローラーとチェーンAとチェーンBとスプロケットAとスプロケットBとスプロケット留め金具と連結金具とワイヤCと定荷重ばねとワイヤDとスライドAとスライドBの部品より構成する具体化した実施形態例について、図面１を参照しながら詳細に説明する。
【実施例】
【００１１】
第１伝達機構による引き戸の開放に関して、人間が踏み板５の上に移動すると、該踏み板は該人間の体重により下方に移動する。踏み板の移動によりリンクを介してアームは、支点金具を中心に回転する。アームの回転によりワイヤ留め金具で所定の位置に設置したワイヤAを介して、チェーンAを移動させる。チェーンAが移動することで、連結金具と滑車と牽引ワイヤCを介して、引き戸は開放方向に移動する。
【００１２】
第２伝達機構に関して、上記に述べた、人が踏み板上に移動することで、リンクを介してアームは、支点台座を中心に回転し、アームはワイヤAを介して、チェーンAを移動させるのみではなく、同時にローラーで所定の位置に設置したワイヤBを介して、チェーンBを移動させる。チェーンBが移動することで、スプロケットAは回転する。
【００１３】
図１ではチェーンとスプロケットとしたが、ラックとピニオンとしても良いし、ベルトとプーリーとしても良い。
【００１４】
図１ではローラーとしたが、ベアリングとしても良いし、不要であれば省略することも可能である。
【００１５】
図１では変換機構は、引き戸の上部としたが、引き戸の下部でも良いし、引き戸の側面に設置しても良い。
【００１６】
スプロケットAはチェーンAと噛み合い回転することで、スプロケットAに締結されたスプロケットBはスプロケットAと同期して回転する。スプロケットBが回転することにより、スプロケットBと噛み合うチェーンAは移動する。この場合のチェーンAの移動量は、チェーンBの移動量に対して、スプロケットAとスプロケットBとの歯数の比率に比例して増大する。
【００１７】
上述のように、ワイヤBの移動により、チェーンAは第１伝達機構によるワイヤAの移動時よりも大きく移動する。チェーンAの移動は連結金具を介して、引き戸を開放方向に、第１伝達機構によるワイヤAでの該引き戸の移動量よりも大きく移動させる
【００１８】
人間の体重により回転したリンクは所定の位置まで回転すると、該リンクは回転を規制され回転を止めることでアームの回転は止まり、ワイヤAとワイヤBを介して移動する引き戸の移動は所定の位置で終了する。
【００１９】
人間が開放された該戸口を通過し、踏み板上より離れると、踏み板はアーム上に所定の位置に固定された錘により、該踏み板は元の所定位置まで上昇して止まる。引き戸はワイヤAとワイヤBからの牽引力を失うことから、定荷重ばねにより引き戸の開放前の所定位置まで戻される。
【産業上の利用可能性】
【００２０】
電動機の故障あるいは想定外の使われ方による傷害事故、あるいは停電による停止などが発生する電動式自動開閉引き戸装置の換わりに利用されたり、電源の無い場所で利用されたりするなど、バリアフリーが推し進められる社会で幅広く利用されることが可能であり、本実用新案の産業上の利用可能性は大変大きい。
【符号の説明】
【００２１】
１    引き戸
２    ガイド
３    ローラー
４    ローラー留め金具
５    踏み板
６    ４節リンク
７    錘
８    アーム
９    支点台座
１０  ワイヤ留め金具
１１  ワイヤ  A
１２  ワイヤ  B
１３  滑車留め金具
１４  滑車
１５  チェーン  A
１６  チェーン  B
１７  スプロケット  A
１８  スプロケット  B
１９  スプロケットハウジング
２０  連結金具
２１  滑車
２２  牽引ワイヤ  C
２３  定荷重バネ
２４  ワイヤ  D
２５  スライド  A
２６  スライド  B
【図１】
0003151861.tif 000003